(57)【要約】【課題】綴じる用紙の枚数の違いに対応できるようにしたバインダーを提供する。【解決手段】用紙に形成された綴じ穴に挿入されて、複数枚の用紙を綴じるリング部３Ａと、リング部３Ａとは独立した部材で構成され、複数のリング部３Ａが取り付けられる背部２Ａを備える。リング部３Ａは、背部２Ａに取り付けられる係合穴部６Ｂを、リング部３Ａの長さ方向の一端側に備えるとともに、背部２Ａに取り付けられる係合突起５Ｂを、リング部３Ａの長さ方向の他端側に備える。背部２Ａは、ループ状としたリング部３Ａの一端側の係合穴部６Ｂが取り付けられる係合突起５Ａと、他端側の係合突起５Ｂが取り付けられる係合穴部６Ａを、用紙の綴じ穴の配置に応じて備える。【選択図】        図１
2006315258.tif 000002
【特許請求の範囲】
【請求項１】
用紙に形成された綴じ穴に挿入されて、複数枚の前記用紙を綴じるリング部と、
前記リング部と独立した部材で構成され、複数の前記リング部が取り付けられる背部を備え、
前記リング部は、前記背部に取り付けられるリング係合部を、前記リング部の長さ方向の一端側と他端側の両端部にのみ備え、
前記背部は、ループ状とした前記リング部の一端側と他端側の前記リング係合部が取り付けられる背部係合部を、前記用紙の前記綴じ穴の配置に応じて備えた
ことを特徴とするバインダー。
【請求項２】
前記リング係合部と前記背部係合部は、一方は凸状に突出した係合突起として構成され、他方は前記係合突起が嵌る凹状の係合穴部として構成された
ことを特徴とする請求項１記載のバインダー。
【請求項３】
前記背部係合部は２列に配置され、ループ状とした前記リング部の一端側の前記リング係合部が一方の背部係合部に取り付けられ、他端側の前記リング係合部が他方の背部係合部に取り付けられて、前記リング部が前記背部に取り付けられる
ことを特徴とする請求項１または２記載のバインダー。
【請求項４】
前記背部係合部は、凸状に突出した係合突起として構成され、前記リング係合部は、前記係合突起に嵌る凹状の係合穴部として構成されて、前記リング部をループ状として重ねられた前記リング部の一端側の前記係合穴部と他端側の前記係合穴部が前記係合突起に嵌められて、前記リング部が前記背部に取り付けられる
ことを特徴とする請求項１記載のバインダー。
【発明の詳細な説明】
【技術分野】
【０００１】
本発明は、綴じ穴が形成された複数枚の用紙を綴じるバインダーに関する。詳しくは、用紙を綴じるリング部を背部とは独立した部品とすることで、リング部のループ径を選択できるようにして、形成される冊子の厚みによらず、最適な形態で用紙を綴じることができるようにしたものである。
【背景技術】
【０００２】
綴じ穴が形成された複数枚の用紙を綴じるバインダーは、用紙の綴じ穴に挿入されるリング状の部材と、綴じ穴の配置に合わせて複数のリング状部材を支持する背部とを備える。
【０００３】
従来は、リング状部材と背部が樹脂等の一体成形の部品で構成されたバインダーが提案されている（例えば、特許文献１参照）。
【０００４】
【特許文献１】特開２０００−２８９３７６号公報
【発明の開示】
【発明が解決しようとする課題】
【０００５】
通常、バインダーにおいては、綴じる用紙の枚数が少ない場合は、リング状部材の径は小さく、用紙の枚数が多い場合は、リング状部材の径は大きくする必要がある。
【０００６】
このため、従来のバインダーでは、綴じる用紙の枚数に応じて、複数種類の部品を用意する必要があるという問題があった。すなわち、リング状部材と背部が一体の部品で構成されたバインダーでは、リング状部材の径が異なる複数種類のバインダー全体を用意する必要があった。
【０００７】
また、用紙によって穴数が異なる場合、リング状部材の数が異なる複数種類のバインダー全体を用意する必要があった。
【０００８】
これにより、複数種類の部品を製造することによる製造コストの上昇や、複数種類の部品を常時在庫させておき、管理ことによる管理コストの上昇という問題も生じる。
【０００９】
本発明は、このような課題を解決するためになされたもので、綴じる用紙の枚数の違いに対応できるようにしたバインダーを提供することを目的とする。
【課題を解決するための手段】
【００１０】
上述した課題を解決するため、本発明に係るバインダーは、用紙に形成された綴じ穴に挿入されて、複数枚の用紙を綴じるリング部と、リング部と独立した部材で構成され、複数のリング部が取り付けられる背部を備え、リング部は、背部に取り付けられるリング係合部を、リング部の長さ方向の一端側と他端側の両端部にのみ備え、背部は、ループ状としたリング部の一端側と他端側のリング係合部が取り付けられる背部係合部を、用紙の綴じ穴の配置に応じて備えたことを特徴とする。
【００１１】
本発明のバインダーでは、用紙の綴じ穴に挿入され、ループ状としたリング部の一端側のリング係合部と他端側のリング係合部を背部の背部係合部に取り付けることで、背部に固定されてループ状となったリング部によって、複数枚の用紙が綴じられる。
【００１２】
リング部は背部に対して独立した部品であるので、長さの異なるリング部を複数種類用意しておけば、共通の背部を利用して、ループ径の異なるリング部を備えたバインダーが構成される。
【発明の効果】
【００１３】
本発明のバインダーによれば、用紙を綴じるリング部と、複数のリング部を支持する背部を独立した部品で構成したので、長さの異なるリング部を用意しておけば、共通の背部を利用して、用紙の枚数に応じたループ径を有するリング部を備えたバインダーを構成することができる。
【００１４】
また、背部に取り付けるリング部の数は任意に選択できるので、共通の背部を利用して、用紙の穴数の違いに対応することもできる。
【００１５】
これにより、背部を共用できることから、冊子の厚みに等に対応して用意する部品の数を減らすことができる。
【発明を実施するための最良の形態】
【００１６】
以下、図面を参照して本発明のバインダーの実施の形態について説明する。
【００１７】
＜第１の実施の形態のバインダーの構成例＞
図１は第１の実施の形態のバインダー１Ａを組み立てた状態の一例を示す斜視図、図２は第１の実施の形態のバインダー１Ａの使用状態の一例を示す平面図、図３は第１の実施の形態のバインダー１Ａの使用前の状態の一例を示す分解構成図である。
【００１８】
第１の実施の形態のバインダー１Ａは、背部２Ａとリング部３Ａを備える。背部２Ａは、幅の狭い薄板状の部材で、綴じる対象の用紙４の長さに応じた長さを有し、所定の間隔を開けて長さ方向に一列に並んだ複数の係合突起５Ａと、係合突起５Ａと同じ間隔で、係合突起５Ａと平行に並んだ複数の係合穴部６Ａを備える。背部２Ａは、可撓性を有して弾性変形可能な例えば樹脂で構成されて、係合突起５Ａが一体に形成されると共に、係合穴部６Ａが貫通して形成される。
【００１９】
係合突起５Ａは背部係合部の一例で、例えば用紙４に形成された綴じ穴４ａの間隔に合わせて配置される。係合突起５Ａの横断面形状は、リング部３Ａに形成された係合穴部６Ｂの形状に合わせた例えば円形状である。また、係合突起５Ａは、リング部３Ａの抜け止めとなる係止部５ｈを備える。
【００２０】
係止部５ｈは、図３（ａ）に示すように、係合突起５Ａの先端側の縦断面形状を例えば三角形状とし、係合突起５Ａの先端側の外周から一部が突出して、リング部３Ａの係合穴部６Ｂに引っ掛かる形状に構成される。また、係合突起５Ａは、係止部５ｈの先端部分をテーパ状として導入部５ｉが形成される。
【００２１】
係合突起５Ａは、係止部５ｈの形成位置の下端から背部２Ａまでの間がリング部３Ａが嵌る部分となるが、係合突起５Ａにおいて、リング部３Ａが嵌る部分の高さは、リング部３Ａの厚さと略同等、もしくは若干大きく構成される。
【００２２】
係合穴部６Ａは背部係合部の一例で、リング部３Ａに形成された係合突起５Ｂが嵌る円形状である。
【００２３】
リング部３Ａは、図２（ａ）に示すように、用紙４の綴じ穴４ａに入る幅を有する薄板状の部材で、図３（ｂ）に示すように、係合穴部６Ｂが長さ方向の例えば一端側に形成され、係合突起５Ｂが他端側に形成される。リング部３Ａは、可撓性を有して弾性変形可能な例えば樹脂で構成されて、係合突起５Ｂが一体に形成されると共に、係合穴部６Ｂが貫通して形成される。
【００２４】
係合突起５Ｂはリング係合部の一例で、図３（ｂ）に示すように、背部２Ａの係合突起５Ａと同じ構成を有して、導入部５ｉが形成された係止部５ｈを先端側に備える。ここで、リング部３Ａの係合突起５Ｂが嵌る背部２Ａの係合穴部６Ａの穴径は、係合突起５Ｂの係止部５ｈの直径より小さく構成される。
【００２５】
係合穴部６Ｂはリング係合部の一例で、図３（ｂ）に示すように、背部２Ａの係合突起５Ａが嵌る円形状である。係合穴部６Ｂの穴径は、係合突起５Ａの係止部５ｈの直径より小さく構成される。
【００２６】
＜第１の実施の形態のバインダーの使用例＞
図４は第１の実施の形態のバインダー１Ａの使用例を示す構成図で、次に、図１〜図４を参照にして第１の実施の形態のバインダー１Ａの使用例について説明する。ここで、図４（ａ−１，２）は綴じる用紙４の枚数が少ない場合、図４（ｂ−１，２）は綴じる用紙４の枚数が多い場合を示している。
【００２７】
まず、背部２Ａとリング部３Ａは分離した形態であり、綴じる用紙４の枚数等に応じて長さの異なるリング部３Ａが複数種類用意される。図４（ａ−１）に示すように、綴じる用紙４の枚数が少ない場合は、図４（ａ−２）に示すように、長さＬ１の短いリング部３Ａが使用され、図４（ｂ−１）に示すように、綴じる用紙４の枚数が多い場合は、図４（ｂ−２）に示すように、長さＬ２の長いリング部３Ａ′が使用される。
【００２８】
リング部３Ａを使用する例で説明すると、リング部３Ａは、積層された用紙４の綴じ穴４ａに通される。そして、リング部３Ａの一端側に位置する係合穴部６Ｂが、背部２Ａの所定の位置の係合突起５Ａに嵌められる。
【００２９】
リング部３Ａの係合穴部６Ｂを背部２Ａの係合突起５Ａに嵌める際は、背部２Ａ及びリング部３Ａが可撓性を有する材質で構成されているので、リング部３Ａの係合穴部６Ｂを背部２Ａの係合突起５Ａの導入部５ｉに押し込むと、係合突起５Ａの導入部５ｉのテーパ形状に沿って係合穴部６Ｂが徐々に押し広げられる。これにより、リング部３Ａは係合穴部６Ｂの周囲が弾性変形して撓み、係合突起５Ａの係止部５ｈを乗り越える。リング部３Ａは、係合穴部６Ｂが係合突起５Ａの係止部５ｈを乗り越えると、係合穴部６Ｂの周囲の形状が復元する。
【００３０】
リング部３Ａの係合穴部６Ｂの穴径は、上述したように、係合突起５Ａの係止部５ｈの直径より小さいので、係合穴部６Ｂが係合突起５Ａに嵌ると、係合突起５Ａの係止部５ｈが抜け止めとなって、リング部３Ａは背部２Ａに保持される。
【００３１】
リング部３Ａの一端側の係合穴部６Ｂを背部２Ａの係合突起５Ａに嵌めると、リング部３Ａをループ状に撓ませて、リング部３Ａの他端側に位置する係合突起５Ｂが、一端側の係合穴部６Ｂを嵌めた係合突起５Ａの隣りに位置する係合穴部６Ａに嵌められる。なお、リング部３Ａの係合突起５Ｂを背部２Ａの係合穴部６Ａに嵌める動作は、リング部３Ａの係合穴部６Ｂを背部２Ａの係合突起５Ａに嵌める動作と同じである。
【００３２】
これにより、リング部３Ａは、端部同士が重なることなく、端部同士の端面が対向する形態で背部２Ａに保持され、リング部３Ａがループ状になって、複数枚の用紙４がページ捲り可能な状態で綴じられる。
【００３３】
なお、用紙４には複数の綴じ穴４ａが開けられているので、全ての綴じ穴４ａ、あるいは必要に応じて選択された任意の綴じ穴４ａに対してリング部３Ａを通し、上述したように、リング部３Ａの一端側の係合穴部６Ｂは背部２Ａの係合突起５Ａに嵌め、他端側の係合突起５Ｂは背部２Ａの係合穴部６Ａに嵌めて、ループ状のリング部３Ａを構成する。
【００３４】
ここで、背部２Ａの係合突起５Ａ及び係合穴部６Ａは、用紙４の綴じ穴４ａの間隔に合わせて配置されているので、全ての綴じ穴４ａに対応させてリング部３Ａを取り付けることが可能であるとともに、任意の綴じ穴４ａに対応させてリング部３Ａを取り付けることも可能である。
【００３５】
さて、綴じる用紙４の枚数が少ない場合は、リング部３Ａのループ径は小さくて良い。このため、長さＬ１の短いリング部３Ａを使用することで、図４（ａ−１）に示すように、ループ径の小さなリング部３Ａを形成することができる。これに対して、綴じる用紙４の枚数が多い場合は、リング部３Ａのループ径を大きくする必要がある。このため、長さＬ２の長いリング部３Ａ′を使用することで、図４（ｂ−１）に示すように、ループ径の大きなリング部３Ａ′を形成することができる。
【００３６】
これにより、長さの異なるリング部３Ａの中から、綴じる用紙４の枚数等に応じてリング部３Ａを選択して使用することで、用紙４の綴じる枚数の違いに対応できる。また、背部２Ａはリング部３Ａとは独立した部品であるので、綴じる用紙４のサイズが同じであれば、１種類の背部２Ａで、用紙４の綴じる枚数の違いに対応できる。
【００３７】
従って、綴じる用紙４の枚数の違いに対応して用意しておく部品の種類を減らすことができ、コストを抑えることができると共に、消耗品の在庫管理等も容易となる。
【００３８】
また、背部２Ａに対するリング部３Ａの係合部は、リング部３Ａの両端に形成されるので、リング部３Ａの用紙４の綴じ穴４ａに挿入される箇所には凹凸が無く、外観性が向上すると共に、ページ捲りがスムーズに行える。
【００３９】
なお、第１の実施の形態のバインダー１Ａでは、２穴、３穴もしくは４穴等で綴じ穴４ａが予め開けられている形態の用紙４に対応して、背部２Ａは、複数の係合突起５Ａ及び係合穴部６Ａの中の何れかが、２穴、３穴もしくは４穴で綴じ穴４ａが予め開けられている用紙４の綴じ穴４ａの配置に合わせて形成されていると良い。
【００４０】
バインダー１Ａでは、背部２Ａとリング部３Ａが独立した部品であるので、上述したように係合突起５Ａ及び係合穴部６Ａを配置することで、３０穴等の多穴の用紙でも、２穴、３穴あるいは４穴等の用紙でも、１種類の背部２Ａを用いてバインダー１Ａを構成することができる。
【００４１】
また、背部２Ａを綴じる用紙４のサイズに合わせてカットして使用することとすれば、複数種類の異なるサイズの用紙４（Ａ４，Ｂ５等）に対応できる。
【００４２】
更に、第１の実施の形態のバインダー１Ａでは、係合突起５Ａ，５Ｂ及び係合穴部６Ａ，６Ｂの形状を円形としたが、他の形状でも良く、例えば四角形でも良い。
【００４３】
＜第２の実施の形態のバインダーの構成例＞
図５は第２の実施の形態のバインダー１Ｂを組み立てた状態の一例を示す斜視図、図６は第２の実施の形態のバインダー１Ｂの使用状態の一例を示す平面図、図７は第２の実施の形態のバインダー１Ｂの使用前の状態の一例を示す分解構成図である。ここで、第２の実施の形態のバインダー１Ｂにおいて、第１の実施の形態のバインダー１Ａと同じ構成の部品については、同じ番号を付して説明する。
【００４４】
第２の実施の形態のバインダー１Ｂは、背部２Ｂとリング部３Ｂを備える。背部２Ｂは、幅の狭い薄板状の部材で、綴じる対象の用紙４の長さに応じた長さを有し、所定の間隔を開けて長さ方向に一列に並んだ複数の係合突起５Ａを備える。背部２Ａは、可撓性を有して弾性変形可能な例えば樹脂で構成されて、係合突起５Ａが一体に形成される。
【００４５】
係合突起５Ａは背部係合部の一例で、例えば用紙４に形成された綴じ穴４ａの間隔に合わせて配置される。係合突起５Ａの形状は第１の実施の形態のバインダー１Ａで説明した係合突起５Ａと同じであり、導入部５ｉが形成された係止部５ｈを先端側に備える。但し、係合突起５Ａのリング部３Ｂが嵌る部分の高さは、リング部３Ｂの厚さの２倍程度と略同等とする。
【００４６】
リング部３Ｂは、図６（ａ）に示すように、用紙４の綴じ穴４ａに入る幅を有する薄板状の部材で、図７（ｂ）に示すように、係合穴部６Ｂが長さ方向の一端側と他端側の両端部にのみ形成される。リング部３Ｂは、可撓性を有して弾性変形可能な例えば樹脂で構成されて、係合穴部６Ｂが貫通して形成される。
【００４７】
係合穴部６Ｂはリング係合部の一例で、図７（ｂ）に示すように、背部２Ｂの係合突起５Ａが嵌る円形状である。係合穴部６Ｂの穴径は、係合突起５Ａの係止部５ｈの直径より小さく構成される。
【００４８】
＜第２の実施の形態のバインダーの使用例＞
図８は第２の実施の形態のバインダー１Ｂの使用例を示す構成図で、次に、図５〜図８を参照にして第２の実施の形態のバインダー１Ｂの使用例について説明する。ここで、図８（ａ−１，２）は綴じる用紙４の枚数が少ない場合、図８（ｂ−１，２）は綴じる用紙４の枚数が多い場合を示している。
【００４９】
まず、背部２Ｂとリング部３Ｂは分離した形態であり、綴じる用紙４の枚数等に応じて長さの異なるリング部３Ｂが複数種類用意される。図８（ａ−１）に示すように、綴じる用紙４の枚数が少ない場合は、図８（ａ−２）に示すように、長さＬ１の短いリング部３Ｂが使用され、図８（ｂ−１）に示すように、綴じる用紙４の枚数が多い場合は、図８（ｂ−２）に示すように、長さＬ２の長いリング部３Ｂ′が使用される。
【００５０】
リング部３Ｂを使用する例で説明すると、リング部３Ｂは、積層された用紙４の綴じ穴４ａに通される。そして、リング部３Ｂの一端側の係合穴部６Ｂ（１）が、背部２Ｂの所定の位置の係合突起５Ａに嵌められる。
【００５１】
リング部３Ｂの係合穴部６Ｂを背部２Ｂの係合突起５Ａに嵌めると、第１の実施の形態のバインダー１Ａの使用例と同様に、リング部３Ｂは、係合突起５Ａの導入部５ｉのテーパ形状に沿って係合穴部６Ｂが徐々に押し広げられ、係合突起５Ａの係止部５ｈを乗り越える。リング部３Ｂは、係合穴部６Ｂが係合突起５Ａの係止部５ｈを乗り越えると、係合穴部６Ｂの周囲の形状が復元する。
【００５２】
リング部３Ｂの係合穴部６Ｂの穴径は、上述したように、係合突起５Ａの係止部５ｈの直径より小さいので、係合穴部６Ｂが係合突起５Ａに嵌ると、係合突起５Ａの係止部５ｈが抜け止めとなって、リング部３Ｂは背部２Ｂに保持される。
【００５３】
リング部３Ｂの一端側の係合穴部６Ｂ（１）を背部２Ｂの係合突起５Ａに嵌めると、リング部３Ｂをループ状に撓ませて、リング部３Ｂの他端側の係合穴部６Ｂ（２）が、一端側の係合穴部６Ｂ（１）と同じ係合突起５Ａに嵌められる。
【００５４】
係合突起５Ａのリング部３Ｂが嵌る部分の高さは、リング部３Ｂの２枚分の厚さと略同等であるので、上述したように、リング部３Ｂの一端側の係合穴部６Ｂ（１）を背部２Ｂの係合突起５Ａに嵌め、同じ係合突起５Ａに同じリング部３Ｂの他端側の係合穴部６Ｂ（２）を嵌めることで、リング部３Ｂは、端部同士が重なって１本の係合突起５Ｂに嵌められる。
【００５５】
そして、リング部３Ｂがループ状になって、複数枚の用紙４がページ捲り可能な状態で綴じられる。なお、用紙４には複数の綴じ穴４ａが開けられているので、全ての綴じ穴４ａ、あるいは必要に応じて選択された任意の綴じ穴４ａに対してリング部３Ｂを通し、上述したように、リング部３Ｂの端部同士を重ねた形態で係合穴部６Ｂを係合突起５Ａに嵌めて、ループ状のリング部３Ｂを構成する。
【００５６】
ここで、背部２Ｂの係合突起５Ａは、用紙４の綴じ穴４ａの間隔に合わせて配置されているので、全ての綴じ穴４ａに対応させてリング部３Ｂを取り付けることが可能であるとともに、任意の綴じ穴４ａに対応させてリング部３Ｂを取り付けることも可能である。
【００５７】
さて、綴じる用紙４の枚数が少ない場合は、リング部３Ｂのループ径は小さくて良い。このため、長さＬ１の短いリング部３Ｂを使用することで、図８（ａ−１）に示すように、ループ径の小さなリング部３Ｂを形成することができる。これに対して、綴じる用紙４の枚数が多い場合は、リング部３Ｂのループ径を大きくする必要がある。このため、長さＬ２の長いリング部３Ｂ′を使用することで、図８（ｂ−１）に示すように、ループ径の大きなリング部３Ｂ′を形成することができる。
【００５８】
これにより、第１の実施の形態のバインダーと同様に、長さの異なるリング部３Ｂの中から、綴じる用紙４の枚数等に応じてリング部３Ｂを選択して使用することで、用紙４の綴じる枚数の違いに対応できる。また、背部２Ｂはリング部３Ｂとは独立した部品であるので、綴じる用紙４のサイズが同じであれば、１種類の背部２Ｂで、用紙４の綴じる枚数の違いに対応できる。
【００５９】
従って、綴じる用紙４の枚数の違いに対応して用意しておく部品の種類を減らすことができ、コストを抑えることができると共に、消耗品の在庫管理等も容易となる。
【００６０】
また、リング部３Ｂに対する背部２Ｂの係合部は一列に形成されるので、背部２Ｂの幅を狭くすることができる。
【００６１】
なお、第２の実施の形態のバインダー１Ｂでも、係合突起５Ａ及び係合穴部６Ｂの形状を円形としたが、他の形状でも良く、例えば四角形でも良い。また、係合穴部６Ｂは、リング部３Ｂの端部となる円周方向の一部を開放した形状でも良い。
【００６２】
＜第３の実施の形態のバインダーの構成例＞
図９は第３の実施の形態のバインダー１Ｃを組み立てた状態の一例を示す斜視図、図１０は第３の実施の形態のバインダー１Ｃの使用状態の一例を示す平面図、図１１は第３の実施の形態のバインダー１Ｃの使用前の状態の一例を示す分解構成図である。
【００６３】
第３の実施の形態のバインダー１Ｃは、背部２Ｃとリング部３Ｃを備える。背部２Ｃは、幅の狭い薄板状の部材で、綴じる対象の用紙４の長さに応じた長さを有し、例えば用紙４の綴じ穴４ａに合わせた間隔で長さ方向に一列に並んだ第１列の係合穴部７Ｌと、第１列の係合穴部７Ｌと同じ間隔で、第１列の係合穴部７Ｌと平行に並んだ第２列の係合穴部７Ｒを備える。背部２Ｃは、可撓性を有して弾性変形可能な例えば樹脂で構成され、係合穴部７Ｌ，７Ｒが凹状に形成される。
【００６４】
係合穴部７Ｌ，７Ｒは背部係合部の一例で、リング部３Ｃに形成された係合突起８の形状に合わせて、横断面形状が例えば円形状の穴部である。
【００６５】
リング部３Ｃは、図１０（ａ）に示すように、用紙４の綴じ穴４ａに入る幅を有する薄板状の部材で、図１１（ｂ）に示すように、係合突起８が長さ方向の一端側と他端側の両端部にのみ形成される。リング部３Ｃは、可撓性を有して弾性変形可能な例えば樹脂で構成されて、係合突起８が一体に形成される。
【００６６】
係合突起８はリング係合部の一例で、背部２Ｃの係合穴部７Ｌ，７Ｒに嵌る円筒形状で、係合突起８の直径は、係合穴部７Ｌ，７Ｒの直径より若干大きく構成され、係合突起８が係合穴部７Ｌ，７Ｒに圧入されて保持される構成である。
【００６７】
＜第３の実施の形態のバインダーの使用例＞
図１２は第３の実施の形態のバインダー１Ｃの使用例を示す構成図で、次に、図９〜図１２を参照にして第３の実施の形態のバインダー１Ｃの使用例について説明する。ここで、図１２（ａ−１，２）は綴じる用紙４の枚数が少ない場合、図１２（ｂ−１，２）は綴じる用紙４の枚数が多い場合を示している。
【００６８】
まず、背部２Ｃとリング部３Ｃは分離した形態であり、綴じる用紙４の枚数等に応じて長さの異なるリング部３Ｃが複数種類用意される。図１２（ａ−１）に示すように、綴じる用紙４の枚数が少ない場合は、図１２（ａ−２）に示すように、長さＬ１の短いリング部３Ｃが使用され、図１２（ｂ−１）に示すように、綴じる用紙４の枚数が多い場合は、図１２（ｂ−２）に示すように、長さＬ２の長いリング部３Ｃ′が使用される。
【００６９】
リング部３Ｃを使用する例で説明すると、リング部３Ｃは、積層された用紙４の綴じ穴４ａに通される。そして、リング部３Ｃの一端側の係合突起８（１）が、背部２ｃの第１列の所定の位置の係合穴部７Ｌに圧入される。
【００７０】
リング部３Ｃの係合突起８を背部２Ｃの係合穴部７Ｌに圧入すると、リング部３Ｃはその一端側が背部２Ｃに保持される。
【００７１】
リング部３Ｃの一端側の係合突起８（１）を背部２Ｃの第１列の係合穴部７Ｌに圧入すると、リング部３Ｃをループ状に撓ませて、リング部３Ｃの他端側の係合突起８（２）が、一端側の係合突起８（１）を嵌めた第１列の係合穴部７Ｌの隣りに位置する第２列の係合穴部７Ｒに圧入される。
【００７２】
これにより、リング部３Ｃは、端部同士が重なることなく、端部同士の端面が対向する形態で背部２Ｃに保持され、リング部３Ｃがループ状になって、複数枚の用紙４がページ捲り可能な状態で綴じられる。
【００７３】
なお、用紙４には複数の綴じ穴４ａが開けられているので、全ての綴じ穴４ａ、あるいは必要に応じて選択された任意の綴じ穴４ａに対してリング部３Ｃを通し、上述したように、リング部３Ｃの一端側の係合突起８（１）は第１列の係合穴部７Ｌに嵌め、他端側の係合突起８（２）は第２列の係合穴部７Ｒに嵌めて、ループ状のリング部３Ｃを構成する。
【００７４】
ここで、背部２Ｃの係合穴部７Ｌ，７Ｒは、用紙４の綴じ穴４ａの間隔に合わせて配置されているので、全ての綴じ穴４ａに対応させてリング部３Ｃを取り付けることが可能であるとともに、任意の綴じ穴４ａに対応させてリング部３Ｃを取り付けることも可能である。
【００７５】
さて、綴じる用紙４の枚数が少ない場合は、リング部３Ｃのループ径は小さくて良い。このため、長さＬ１の短いリング部３Ｃを使用することで、図１２（ａ−１）に示すように、ループ径の小さなリング部３Ｃを形成することができる。これに対して、綴じる用紙４の枚数が多い場合は、リング部３Ｃのループ径を大きくする必要がある。このため、長さＬ２の長いリング部３Ｃ′を使用することで、図１２（ｂ−１）に示すように、ループ径の大きなリング部３Ｃ′を形成することができる。
【００７６】
これにより、第１の実施の形態のバインダーと同様に、長さの異なるリング部３Ｃの中から、綴じる用紙４の枚数等に応じてリング部３Ｃを選択して使用することで、用紙４の綴じる枚数の違いに対応できる。また、背部２Ｃはリング部３Ｃとは独立した部品であるので、綴じる用紙４のサイズが同じであれば、１種類の背部２Ｃで、用紙４の綴じる枚数の違いに対応できる。
【００７７】
従って、綴じる用紙４の枚数の違いに対応して用意しておく部品の種類を減らすことができ、コストを抑えることができると共に、消耗品の在庫管理等も容易となる。
【００７８】
なお、係合穴部７Ｌ，７Ｒ及び係合突起８の形状を円形としたが、他の形状でも良く、例えば四角形でも良い。また、背部２Ｃ側に２列の係合突起を備え、リング部３Ｃの両端に係合突起が嵌る係合穴部を設ける形態でも良い。
【００７９】
＜係合突起及び係合穴部の変形例＞
図１３は各実施の形態における係合突起及び係合穴部の変形例を示す構成図である。各実施の形態で係合突起及び係合穴部の形状を円形としたが、他の形状でも良く、例えば四角形でも良い。例えば、背部あるいはリング部に形成される係合突起９は、図１３（ａ）に示すように、横断面形状が四角形状で先端側に径止部９ａを備えた２本の鉤状部材で構成しても良い。なお、係合突起９の横断面形状を四角形状とした場合は、係合穴部は四角形状とする。
【００８０】
また、例えば第２の実施の形態のバインダー１Ｂのリング部３Ｂの変形例として、係合穴部１０は、図１３（ｂ）に示すように、リング部３の端部となる円周方向の一部を開放して開口部１０ａを設けた形状でも良い。
【産業上の利用可能性】
【００８１】
本発明は、綴じ穴が開けられた用紙を綴じる多穴バインダーに適用される。
【図面の簡単な説明】
【００８２】
【図１】第１の実施の形態のバインダーを組み立てた状態の一例を示す斜視図である。
【図２】第１の実施の形態のバインダーの使用状態の一例を示す平面図である。
【図３】第１の実施の形態のバインダーの使用前の状態の一例を示す分解構成図である。
【図４】第１の実施の形態のバインダーの使用例を示す構成図である。
【図５】第２の実施の形態のバインダーを組み立てた状態の一例を示す斜視図である。
【図６】第２の実施の形態のバインダーの使用状態の一例を示す平面図である。
【図７】第２の実施の形態のバインダーの使用前の状態の一例を示す分解構成図である。
【図８】第２の実施の形態のバインダーの使用例を示す構成図である。
【図９】第３の実施の形態のバインダーを組み立てた状態の一例を示す斜視図である。
【図１０】第３の実施の形態のバインダーの使用状態の一例を示す平面図である。
【図１１】第３の実施の形態のバインダーの使用前の状態の一例を示す分解構成図である。
【図１２】第３の実施の形態のバインダーの使用例を示す構成図である。
【図１３】各実施の形態における係合突起及び係合穴部の変形例を示す構成図である。
【符号の説明】
【００８３】
１Ａ，１Ｂ，１Ｃ・・・バインダー、２Ａ，２Ｂ，２Ｃ・・・背部、３Ａ，３Ｂ，３Ｃ，３・・・リング部、４・・・用紙、４ａ・・・綴じ穴、５Ａ，５Ｂ，８，９・・・係合突起、６Ａ，６Ｂ，７Ｌ，７Ｒ，１０・・・係合穴部
【図１】
2006315258.tif 000003
【図２】
2006315258.tif 000004
【図３】
2006315258.tif 000005
【図４】
2006315258.tif 000006
【図５】
2006315258.tif 000007
【図６】
2006315258.tif 000008
【図７】
2006315258.tif 000009
【図８】
2006315258.tif 000010
【図９】
2006315258.tif 000011
【図１０】
2006315258.tif 000012
【図１１】
2006315258.tif 000013
【図１２】
2006315258.tif 000014
【図１３】
2006315258.tif 000015